(57)【要約】【課題】  開封した後に開口部を再度閉めることができる再封機能を有し、上面板、底面板ともに開封可能として取り出し容易性を高め、なおかつ現行の包装箱と同等の強度を備え、ハーフトレイで使用した場合にも強度を保てる包装箱を提供する。【解決手段】  本発明の包装箱は、側面板の一部にヒンジ機能折り部を形成させて、帯状の第１の引き裂き体および帯状の第２の引き裂き体の引き裂き除去ならびに第１の切り取り部および第２の切り取り部を切り取ることによって形成された蓋体を前記ヒンジ機能折り部を支点として回動できるように構成される。【選択図】  図３
2006151396.tif 000002
【特許請求の範囲】
【請求項１】
上面板、底面板、およびこれらを連結する一対の側面板を有して形成される胴部、ならびに内フラップおよび外フラップを備えてなるラップアラウンド式の包装箱において、
前記上面板は帯状の第１の引き裂き体を有し、当該帯状の第１の引き裂き体は、前記上面板の略中央部に形成された第１の引き裂き起点部と、この第１の引き裂き起点部に連接されるとともに前記一対の側面板のうちの一方の側面板方向に向けて形成される第１の引き裂き帯状部を有し、
前記上面板は、前記第１の引き裂き起点部から前記一対の側面板のうちの他方の側面板方向に向けて形成される第１の切り取り部を有し、
前記底面板は帯状の第２の引き裂き体を有し、当該帯状の第２の引き裂き体は、前記底面板の略中央部に形成された第２の引き裂き起点部と、この第２の引き裂き起点部に連接されると共に前記一方の側面板方向に向けて形成される第２の引き裂き帯状部を有し、
前記底面板は、前記第２の引き裂き起点部から前記他方の側面板方向に向けて形成される第２の切り取り部を有し、
前記帯状の第１の引き裂き体および前記帯状の第２の引き裂き体をそれぞれ引き裂き除去するとともに、これらに挟持される関係に位置する前記一方の側面板も部分的に除去して実質的に第１の引き裂き体および前記帯状の第２の引き裂き体の終端を繋ぐような引き裂きが行われ、さらに、前記他方の側面板方向に向けて前記第１の切り取り部および第２の切り取り部を切り取ることによって形成された蓋体を前記他方の側面板側に回動させて前記他方の側面板の一部にヒンジ機能折り部を形成させ、前記蓋体を前記ヒンジ機能折り部を支点として回動可能としてなることを特徴とする包装箱。
【請求項２】
前記一方の側面板は、前記帯状の第１の引き裂き体の終端および前記帯状の第２の引き裂き体の終端にそれぞれ実質的に連接される切込み部を備えてなる請求項１に記載の包装箱。
【請求項３】
前記帯状の第１の引き裂き体と前記帯状の第２の引き裂き体は、前記一方の側面板に対して、鏡像関係となるように配置形成されてなる請求項１または請求項２に記載の包装箱。
【請求項４】
前記帯状の第１の引き裂き体および前記帯状の第２の引き裂き体は、それぞれ前記第１の引き裂き起点部および前記第２の引き裂き起点部から、終端方向である前記一方の側面板に向けて、上がり勾配の帯状形状をなしてなる請求項１ないし請求項３のいずれかに記載の包装箱。
【請求項５】
前記上がり勾配が２〜２５°の範囲内である請求項１ないし請求項４のいずれかに記載の包装箱。
【請求項６】
前記帯状の第１の引き裂き体および前記帯状の第２の引き裂き体は、その帯幅が、１．５〜６ｃｍの範囲内である請求項１ないし請求項５のいずれかに記載の包装箱。
【請求項７】
前記帯状の第１の引き裂き体および前記帯状の第２の引き裂き体は、その輪郭に沿って切断用の切り込み線が断続的に形成されてなる請求項１ないし請求項６のいずれかに記載の包装箱。
【請求項８】
前記第１の切り取り部は、第１の引き裂き起点部から前記他方の側面板の上端部のコーナーに向けて上がり勾配に形成され、前記第２の切り取り部は、第２の引き裂き起点部から前記他方の側面板の上端部のコーナーに向けて上がり勾配に形成されてなる請求項１ないし請求項７のいずれかに記載の包装箱。
【請求項９】
前記第１の切り取り部および前記第２の切り取り部は、切断用の切り込み線が断続的に形成されているとともに、その切断用の切り込み線の終端は、各コーナーの手前１〜５ｃｍの範囲で止まってなる請求項１ないし請求項８のいずれかに記載の包装箱。
【請求項１０】
包装箱内に収納される容器製品物は、缶容器製品物またはその集合体である請求項１ないし請求項９のいずれかに記載の包装箱。
【請求項１１】
前記缶容器製品物は、アルコール飲料缶またはノンアルコール飲料缶である請求項１０に記載の包装箱。
【請求項１２】
前記集合体は、マルチパック包装されてなる請求項１０に記載の包装箱。
【請求項１３】
前記一方の側面板には引き裂き開始片が形成されるとともに、前記切込み部の終端は引き裂き開始片の手前１〜３ｃｍの範囲で止めてなる請求項２ないし請求項１２のいずれかに記載の包装箱。
【請求項１４】
請求項１に記載の包装箱によって被包装物である容器製品物を包装してなることを特徴とする包装製品。
【請求項１５】
前記被包装物は、缶容器製品物またはその集合体である請求項１４に記載の包装製品。
【請求項１６】
前記缶容器製品物は、アルコール飲料缶またはノンアルコール飲料缶である請求項１５に記載の包装製品。
【請求項１７】
前記集合体は、マルチパック包装されてなる請求項１５に記載の包装製品。
【発明の詳細な説明】
【技術分野】
【０００１】
本発明は、缶製品等の容器製品物を包み込むように収納するいわゆるラップアラウンド式の紙製包装箱に関し、例えば、いわゆるマルチパックで包装された缶製品等の容器製品物を収納する包装箱に関する。
【背景技術】
【０００２】
いわゆるラップアラウンド式の包装箱による容器製品物の包装は一般に以下の要領で行われる。すなわち、一般に上面板、底面板、およびこれらを連結する一対の側面板を有して形成される帯状の胴部で容器製品物を包み込むように収納した後、その開口したままになっている胴部両端部をそれぞれ一対の内フラップおよび外フラップで順次塞ぐことにより、容器製品物が収納された包装箱が完成される。
【０００３】
缶製品等の容器製品物は、缶そのままの状態で包装箱に収納される場合と、マルチパックとして、例えば缶６本単位で包装した上で、このマルチパック包装体を例えば２列２段に合計４体配列した状態で、１つの包装箱に収納される場合がある。
【０００４】
このようにして包装箱に収納されたマルチパックを包装箱から取り出す際には、例えば包装箱に予め形成されているハーフトレイ形成用の切離帯をぐるりと一周側面に沿って切断して包装箱を分割するようにすればよいが、より簡便に開封するために、内フラップおよび外フラップの糊付けを剥がして包装箱の長手方向の一方の端部を開き、この開口部からマルチパック包装体を取り出す操作もよく行われる。
【０００５】
しかしながら、包装箱の長手方向の一方の端部を開いて中のマルチパック包装体を取り出そうとする場合には、マルチパック包装体と成形された包装箱の間に隙間がないために、包装箱を開口した後に、マルチパック包装体を取り出すための指が入り難く、マルチパック包装体が取り出し難いという問題がある。特に、包装箱の開口部から奥側である下段に位置するマルチパックが取り出し難い。
【０００６】
また、一旦糊付けされているフラップを剥がして容器製品物を取り出した後は、糊付けなしで再び内フラップおよび外フラップを閉じて取り出し口である開口部を再封することができないために、保管中の包装箱の外観が悪いという問題や、フラップを開放したままでの保管では保管中に、異物や埃が包装箱内に混入するおそれがあるという問題が生じる。
【０００７】
このような問題を解決するための従来技術として、特開２００１−３５４２３１号公報（特許文献１）、特開２００２−１６６９２８号公報（特許文献２）、特開２００２−２２５８５５号公報（特許文献３）、特開２００４−０９９０７４号公報（特許文献４）、特開２００４−２５００１６号公報（特許文献５）等に提案されている技術がある。
【０００８】
しかしながら、特許文献１では、包装箱自体の再封機能がなく、また取り出し容易性に関しては上面のみが開封可能となっており、マルチパック包装体と底面板との間には隙間がないままであり、マルチパック包装体の取り出し容易性は十分とは言えない。
【０００９】
また、特許文献２および特許文献３は、包装箱自体の再封機能は備えているものの、取り出し容易性に関しては上面のみが開封可能となっており、マルチパック包装体と底面板との間には隙間がないままであり、マルチパック包装体の取り出し容易性は十分とは言えない。
【００１０】
特許文献４は、包装箱自体の再封機能は備えているものの、取り出し容易性に関しては端部のみが開封可能となっており、マルチパック包装体と成形された包装箱の間には隙間が十分になく、マルチパック包装体の取り出し容易性は十分とは言えない。
【００１１】
特許文献５は、包装箱自体の再封機能がなく、また取り出し容易性に関しては上面板、底面板ともに開封可能となっているが、包装箱の強度を重視する場合には、上面板、底面板ともに開封するのは好ましくないという問題がある。
【００１２】
【特許文献１】特開２００１−３５４２３１号公報
【特許文献２】特開２００２−１６６９２８号公報
【特許文献３】特開２００２−２２５８５５号公報
【特許文献４】特開２００４−０９９０７４号公報
【特許文献５】特開２００４−２５００１６号公報
【発明の開示】
【発明が解決しようとする課題】
【００１３】
このような実状のもとに本願発明は創案されたものであって、その目的は、開封した後に開口部を再度閉めることができる再封機能を有し、上面板、底面板ともに開封可能として取り出し容易性を高め、なおかつ現行の包装箱と同等の強度を備え、ハーフトレイで使用した場合にも強度を保てる包装箱を提供することにある。
【課題を解決するための手段】
【００１４】
上記課題を解決するために本発明は、上面板、底面板、およびこれらを連結する一対の側面板を有して形成される胴部、ならびに内フラップおよび外フラップを備えてなるラップアラウンド式の包装箱において、前記上面板は帯状の第１の引き裂き体を有し、当該帯状の第１の引き裂き体は、前記上面板の略中央部に形成された第１の引き裂き起点部と、この第１の引き裂き起点部に連接されるとともに前記一対の側面板のうちの一方の側面板方向に向けて形成される第１の引き裂き帯状部を有し、前記上面板は、前記第１の引き裂き起点部から前記一対の側面板のうちの他方の側面板方向に向けて形成される第１の切り取り部を有し、前記底面板は帯状の第２の引き裂き体を有し、当該帯状の第２の引き裂き体は、前記底面板の略中央部に形成された第２の引き裂き起点部と、この第２の引き裂き起点部に連接されると共に前記一方の側面板方向に向けて形成される第２の引き裂き帯状部を有し、前記底面板は、前記第２の引き裂き起点部から前記他方の側面板方向に向けて形成される第２の切り取り部を有し、前記帯状の第１の引き裂き体および前記帯状の第２の引き裂き体をそれぞれ引き裂き除去するとともに、これらに挟持される関係に位置する前記一方の側面板も部分的に除去して実質的に第１の引き裂き体および前記帯状の第２の引き裂き体の終端を繋ぐような引き裂きが行われ、さらに、前記他方の側面板方向に向けて前記第１の切り取り部および第２の切り取り部を切り取ることによって形成された蓋体を前記他方の側面板側に回動させて前記他方の側面板の一部にヒンジ機能折り部を形成させ、前記蓋体を前記ヒンジ機能折り部を支点として回動可能としてなるように構成される。
【００１５】
また、本発明の好ましい態様として、前記一方の側面板は、前記帯状の第１の引き裂き体の終端および前記帯状の第２の引き裂き体の終端にそれぞれ実質的に連接される切込み部を備えてなるように構成される。
【００１６】
また、本発明の好ましい態様として、前記帯状の第１の引き裂き体と前記帯状の第２の引き裂き体は、前記一方の側面板に対して、鏡像関係となるように配置形成されてなるように構成される。
【００１７】
また、本発明の好ましい態様として、前記帯状の第１の引き裂き体および前記帯状の第２の引き裂き体は、それぞれ前記第１の引き裂き起点部および前記第２の引き裂き起点部から、終端方向である前記一方の側面板に向けて、上がり勾配の帯状形状をなしてなるように構成される。
【００１８】
また、本発明の好ましい態様として、前記上がり勾配は、２〜２５°の範囲内であるように構成される。
【００１９】
また、本発明の好ましい態様として、前記帯状の第１の引き裂き体および前記帯状の第２の引き裂き体は、その帯幅が、１．５〜６ｃｍの範囲内であるように構成される。
【００２０】
また、本発明の好ましい態様として、前記帯状の第１の引き裂き体および前記帯状の第２の引き裂き体は、その輪郭に沿って切断用の切り込み線が断続的に形成されてなるように構成される。
【００２１】
また、本発明の好ましい態様として、前記第１の切り取り部は、第１の引き裂き起点部から前記他方の側面板の上端部のコーナーに向けて上がり勾配に形成され、前記第２の切り取り部は、第２の引き裂き起点部から前記他方の側面板の上端部のコーナーに向けて上がり勾配に形成されてなるように構成される。
【００２２】
また、本発明の好ましい態様として、前記第１の切り取り部および前記第２の切り取り部は、切断用の切り込み線が断続的に形成されているとともに、その切断用の切り込み線の終端は、各コーナーの手前１〜５ｃｍの範囲で止まってなるように構成される。
【００２３】
また、本発明の好ましい態様として、包装箱内に収納される容器製品物は、缶容器製品物またはその集合体から構成される。
【００２４】
また、本発明の好ましい態様として、前記缶容器製品物は、アルコール飲料缶またはノンアルコール飲料缶から構成される。
【００２５】
また、本発明の好ましい態様として、前記集合体は、マルチパック包装されて構成される。
【００２６】
また、本発明の好ましい態様として、前記一方の側面板には引き裂き開始片が形成されるとともに、前記切込み部の終端は引き裂き開始片の手前１〜３ｃｍの範囲で止めてなるように構成される。
【００２７】
本発明の包装製品は、前記包装箱によって被包装物である容器製品物を包装して形成される。
【００２８】
また、本発明の好ましい態様として、前記被包装物は、缶容器製品物またはその集合体から構成される。
【００２９】
また、本発明の好ましい態様として、前記缶容器製品物は、アルコール飲料缶またはノンアルコール飲料缶から構成される。
【００３０】
また、本発明の好ましい態様として、前記集合体は、マルチパック包装されて構成される。
【発明の効果】
【００３１】
本発明の包装箱は、側面板の一部にヒンジ機能折り部を形成させて、帯状の第１の引き裂き体および帯状の第２の引き裂き体の引き裂き除去ならびに第１の切り取り部および第２の切り取り部を切り取ることによって形成された蓋体を前記ヒンジ機能折り部を支点として回動できるように構成されているので、開封した後に開口部を再度閉めることができる再封機能を有し、さらに上面板、底面板ともに開封され、取り出し容易性に優れる。なおかつ現行の包装箱と同等の強度を備え、ハーフトレイで使用した場合にも強度を保つことができる。
【発明を実施するための最良の形態】
【００３２】
〔組み立て対象となる包装箱の説明〕
図１は、本発明の組み立ての対象となる包装箱１の展開された好適な一例（展開状態の包装箱カートン）を示したものである。
【００３３】
本発明に適用される包装箱１の形態は、図１に示されるごとく、複数枚（本実施の形態では４枚）の板体１１，２１，１５，２５が連なって形成される帯状の胴部を備えており、例えば、この胴部で容器製品物（缶ビールなどの容器製品物）を包み込むように収納した後、糊代片９で帯状の胴部を筒状に一体固着することにより筒状の胴部を形成することができるようになっている。
【００３４】
包装箱内に収納される容器製品物は、好ましくは、缶容器製品物またはその集合体である。缶容器製品物としては、例えば缶ビール、発泡酒缶、チューハイ缶等のアルコール飲料缶や、缶ジュース、缶コーヒー、缶紅茶、缶入り茶等ノンアルコール飲料缶等が挙げられる。缶容器製品物の集合体としては、一定数量の缶容器を並列した状態のまま（例えば、２×３配列された合計６個のマルチパックや、２×４配列された合計８個のマルチパック）包装されたいわゆるマルチパック包装体が挙げられる。
【００３５】
本発明の包装箱１の実施形態においては、図１に示される折り目線６１，６５，８１，８５から４つの折り曲げ連接側片３８（略長方形形状）が内側に折り込まれ、さらに折り目線６２，６６，８２，８６から４つの内フラップ３１，３１，３５，３５が内側に折り込まれるようになっている。
【００３６】
そして、通常、この折り込まれた４つの内フラップ３１，３１，３５，３５の外面の所定位置に糊付けがなされ、この糊付け面に向けて、折り目線７１，７５，９１，９５から４つの外フラップ４１，４１，４５，４５を折り込むことによって、包装箱の形態を完成することができるようになっている。この状態は、いわゆる出荷箱に相当する。
【００３７】
包装箱の形態についてさらに詳細に説明する。
【００３８】
本発明で用いられる包装箱において、上面板２５の胴部を構成する側には、組み立て時において対向する一対の側面板１１，１５が上面板２５に連接して形成されており、上面板２５の開口側の両端部にはそれぞれ上面側の外フラップ４５，４５が上面板２５に連接して形成されている。
【００３９】
同様に、底面板２１の胴部を構成する側には、前述した一対の側面板１１，１５が底面板２１に連接して形成されており、底面板２１の開口側の両端部にはそれぞれ下面側（底面板側）の外フラップ４１，４１が底面板２１に連接して形成されている。
【００４０】
さらに、本発明の実施形態における側面板１１の開口側の両端部には、それぞれ折り曲げ連接側片３８を介して内フラップ３１，３１が側面板１１に連接して形成されるとともに、これらによって一体化側面部３０が構成されている。
【００４１】
同様に側面板１５の開口側の両端部にはそれぞれ折り曲げ連接側片３８を介して内フラップ３５，３５が側面板１５に連接して形成されるとともに、これらによって一体化側面部３０が構成されている。
【００４２】
なお、本発明でいう内フラップとは出荷箱状態で内側に位置するフラップをいい、外フラップとは、出荷箱状態で外側に位置するフラップをいう。
【００４３】
本発明における実施形態は、折り曲げ連接側片３８の形成により、内フラップが連接される胴部の角があたかも切り取られた形態をなしている（図１の符号Ｈ相当部分）。そのため、本実施の形態における上面板２５からみた平面形状は、箱の角部が切り取られたような変形８角形となっている。コーナー部（角部）のスペースはいわゆるデッドスペースとなるため不要とも考えられること、さらにはハンドリング性の向上を図るためや、視覚デザイン性の向上のためにこのような変形８角形が好適な一例として例示してある。また、本発明においては好ましい態様の一例として平面変形８角形の包装箱形態を例示しているが、折り曲げ連接側片３８部分にさらに角部を所定数量、追加形成することにより変形１２角形，変形１６角形，変形２０角形，……とすることができる。
【００４４】
また、上記のコーナー部（角部）を欠く形態に限定されることなく、本発明は、各折り曲げ連接側片３８が存在しない一般的な平面４角形形態であってもよいことは後述する本発明の要部の機能から考えて勿論のことである。
【００４５】
本発明における上面板２５は、帯状の第１の引き裂き体１１０を有し、この帯状の引き裂き体１１０は、上面板２５の略中央部に形成された第１の引き裂き起点部１１１と、この第１の引き裂き起点部１１１に連接されるとともに一方の側面板１５方向に向けて形成される第１の引き裂き帯状部１１５を有している。第１の引き裂き起点部１１１と第１の引き裂き帯状部１１５との連接部位は、折れ線１１２により形成されている。第１の引き裂き起点部１１１は略半円形状をなし、その輪郭は図示のごとく不連続な切り取り線１１１ａにより形成されている。その半円中心付近を指で押圧することにより切り取り線１１１ａは切り取られ、半円部はそのまま折れ線１１２を基線としてフラップ状に箱内に押圧作用を施した指とともに入り込むことができるようになっている。
【００４６】
第１の引き裂き帯状部１１５は、前記第１の引き裂き起点部１１１から、終端方向である一方の側面板１５に向けて、図１に示されるような上がり勾配の帯状形状をなして構成されることが好ましい。第１の引き裂き帯状部１１５の帯状形状は２本の切り取り線１１５ａ，１１５ｂによって所定の帯幅に形成されており、前述した第１の引き裂き起点部１１１を引き裂き開始の基点として上がり勾配に沿って切断除去できるようになっている。
【００４７】
その帯幅は、１．５〜６ｃｍの範囲内、好ましくは、２〜５ｃｍの範囲内とすることが望ましい。この帯幅の数値は、第１の引き裂き体１１０の引き裂き易さおよび引き裂いた後の残余の形態による内容物の取り出し易さを考慮して設定されたものである。
【００４８】
前記上がり勾配は、折れ線１１２の最下点Ｓから、第１の引き裂き帯状部１１５を構成する下方の切り取り線１１５ｂの終点位置Ｇとを結ぶ直線の傾きとして定義した場合、２〜２５°、好ましくは、５〜２０°の範囲内に設定されることが望ましい。このような勾配は、上記の帯幅の設定数値と相俟って、第１の引き裂き体１１０を引き裂いた後の残余の形態による内容物の取り出し易さを発揮する効果がある。
【００４９】
特に、いわゆるマルチパック包装体を２列×２段の４個配列収納とした場合には、下段のマルチパック包装体の一部が現れ、下段のマルチパック包装体も容易に取り出すことができる（図７参照）。また、第１の引き裂き体１１０を引き裂いた後の残余の形態により、図７の右側上段に位置するマルチパック包装体の下部もしっかりと支持されており、いわゆる上段に位置するマルチパック包装体の転倒防止効果もある。
【００５０】
さらに、上面板２５は、第１の引き裂き起点部１１１（例えば、半円弧の部分の中央）から、組み立て後の他方の側面板１１方向に向けて略直線状に形成される第１の切り取り部１２０を有している。このような第１の切り取り部１２０は、特に他方の側面板１１の上端部のコーナーＣ１に向けて直線状かつ上がり勾配に形成されることが望ましい。
【００５１】
このような第１の切り取り部１２０は、切断が容易なように切断用の切り込み線によって断続的に形成されるとともに、その切断用の切り込み線の終端は、コーナーＣ１の手前１〜５ｃｍの範囲で止めることが望ましい。機能を発揮できる必要最低限の切り込み線の形成のみとして、包装箱の強度を保つためである。
【００５２】
上述してきた帯状の第１の引き裂き体１１０および第１の切り取り部１２０と同様な構成が、図１に示されるごとく底面板２１側にも側面板１５を中心として鏡像関係に設けられる。すなわち、本発明における底面板２１は、帯状の第２の引き裂き体１３０を有し、この帯状の引き裂き体１３０は、底面板２１の略中央部に形成された第２の引き裂き起点部１３１と、この第２の引き裂き起点部１３１に連接されるとともに一方の側面板１５方向に向けて形成される第２の引き裂き帯状部１３５を有している。
【００５３】
第２の引き裂き起点部１３１と第２の引き裂き帯状部１３５との連接部位は、折れ線１３２により形成されている。第２の引き裂き起点部１３１は略半円形状をなし、その輪郭は図示のごとく不連続な切り取り線１３１ａにより形成されている。その半円中心付近を指で押圧することにより切り取り線１３１ａは切り取られ、半円部はそのまま折れ線１３２を基線としてフラップ状に箱内に押圧作用を施した指とともに入り込むことができるようになっている。
【００５４】
第２の引き裂き帯状部１３５は、前記第２の引き裂き起点部１３１から、終端方向である一方の側面板１５に向けて、図１に示されるような上がり勾配の帯状形状をなして構成されることが好ましい。第２の引き裂き帯状部１３５の帯状形状は２本の切り取り線１３５ａ，１３５ｂによって所定の帯幅に形成されており、前述した第２の引き裂き起点部１３１を引き裂き開始の基点として上がり勾配に沿って切断除去できるようになっている。その帯幅は、１．５〜６ｃｍの範囲内、好ましくは、２〜５ｃｍの範囲内とすることが望ましい。この帯幅の数値は、第２の引き裂き体１３０の引き裂き易さおよび引き裂いた後の残余の形態による内容物の取り出し易さを考慮して設定されたものである。
【００５５】
前記上がり勾配は、折れ線１３２の最下点Ｓから、第２の引き裂き帯状部１３５を構成する下方の切り取り線１３５ｂの終点位置Ｇとを結ぶ直線の傾きとして定義した場合、２〜２５°、好ましくは、５〜２０°の範囲内に設定されることが望ましい。このような勾配は、上記の帯幅の設定数値と相俟って、第２の引き裂き体１３０を引き裂いた後の残余の形態による内容物の取り出し易さを発揮する効果がある。特に、いわゆるマルチパック包装体を２列×２段の４個配列収納とした場合には、下段のマルチパック包装体の一部が現れ、下段のマルチパック包装体も容易に取り出すことができる（図７参照）。
【００５６】
さらに、底面板２１は、第２の引き裂き起点部１３１（例えば、半円弧の部分の中央）から、組み立て後の他方の側面板１１方向に向けて略直線状に形成される第２の切り取り部１４０を有している。このような第２の切り取り部１４０は、特に他方の側面板１１の上端部のコーナーＣ２に向けて直線状かつ上がり勾配に形成されることが望ましい。
【００５７】
このような第２の切り取り部１４０は、切断が容易なように切断用の切り込み線によって断続的に形成されるとともに、その切断用の切り込み線の終端は、コーナーＣ２の手前１〜５ｃｍの範囲で止めることが望ましい。機能を発揮できる必要最低限の切り込み線の形成のみとして、包装箱の強度を保つためである。
【００５８】
また、一方の側面板１５は、前記帯状の第１の引き裂き体１１５の終端（側面板１５との境の折り目）および前記帯状の第２の引き裂き体１３５の終端（側面板１５との境の折り目）にそれぞれ実質的に連接される切込み部１５１，１５１；１６１，１６１を備えていることが好ましい。帯状の第１の引き裂き体１１５および帯状の第２の引き裂き体１３５を引き裂き除去した時に、双方の引き裂き口がスムースに繋がって後述する所望形態の蓋体が形成できるようにするためである。
【００５９】
また、図１に示される包装箱は、例えば、店頭で中身の容器を陳列する際に、予め包装箱の側面板１１，１５に形成された一対の引き裂き開始片１２，１３，１６，１７をそれぞれ、側面板１１，１５の中央から両端に向かって引くことにより、この引き裂き開始片１２，１３，１６，１７と連なる引き裂き帯体４，５が除去され、これに伴い箱体の上下がそれぞれ分断され、上蓋が取り外された後、下部に残った残余の下部箱がそのまま商品を載せる紙トレーとして利用することができる機能も有している。このようないわゆるジッパー機能は従来からすでに一般に形成されていたものであるが、このジッパー機能は本発明に必須のものではなく、仕様によっては、そのジッパー機能の作製を省略してもよい。
【００６０】
ただし、図１に示されるように引き裂き開始片１６，１７を設けた場合には、側面板１５に形成される切込み部１５１，１５１；１６１，１６１の長さは図示のごとく短くすることができる。引き裂き開始片１７が切込みの一端を担う作用があるからである。さらに、ハーフトレイ形成時の強度を保つためでもあり、その場合、切込み部１５１，１５１；１６１，１６１の終端は引き裂き開始片１７の手前１〜３ｃｍの範囲で止めることが望ましい。
【００６１】
図１に示されるような展開状態の包装箱カートンを組み立てて完成させた状態が図２の概略斜視図に示されている。
次なる操作説明を包装箱の開封操作と再封止操作に分けて説明する。
【００６２】
（開封操作）
主として図２〜図６に基づいて本発明の包装箱の開封操作の経時的な説明を行なう。
【００６３】
まず、最初に図２に示される略半円形状をなしている第１の引き裂き起点部１１１の半円中心付近を指で押圧することにより切り取り線１１１ａを切り取る操作を行う。この際、半円部はそのまま折れ線１１２を基線としてフラップ状に箱内に押圧作用を施した指とともに入り込むことができるようになっている。
【００６４】
次いで、図３に示されるように押圧した指によって第１の引き裂き起点部１１１から第１の引き裂き帯状部１１５を引き起こすように終端方向である一方の側面板１５に向けて、第１の引き裂き帯状部１１５を徐々に引き裂いて行って、最終的に第１の引き裂き体１１０を引き裂き除去する。
【００６５】
同様な動作によって、第２の引き裂き体１３０も引き裂き除去する。図３には、第１の引き裂き体１１０と第２の引き裂き体１３０を同時に引き裂く状態が示されているが、双方の引き裂き操作は、片方ずつ行なうようにしてもよいし、両方同時に行なうようにしてもよい。
【００６６】
第１の引き裂き体１１０と第２の引き裂き体１３０を除去した後は、図４に示されるように、双方の引き裂き体１１０，１３０に挟持される関係に位置する一方の側面板１５も部分的に除去され、実質的に第１の引き裂き体および前記帯状の第２の引き裂き体の終端を繋ぐような開口部Ｅが形成される。
【００６７】
次いで、図５に示されるように他方の側面板１１の方向に向けて第１の切り取り部１２０および第２の切り取り部１４０を切り取ることによって、蓋体２００が形成される。なお、第１の切り取り部１２０および第２の切り取り部１４０の切断用の切り込み線の終端は、上述したように箱強度を保つために各コーナーの手前の所定範囲で止まっているために、最後の数センチは図５に示されるように蓋体２００を上方に起こすような操作をして強制的な引き裂きを実施すれば、切り込み線１２０，１４０はコーナーＣ１，Ｃ２まで容易に到達する。
【００６８】
このようにして他方の側面板１１の一部にヒンジ機能折り部１９０を形成させることによって、このヒンジ機能折り部１９０を支点として蓋体２００を回動可能とすることができる（図６参照）。ちなみに、ヒンジ機能折り部１９０は図１の折り線６１が相当することになる。折り線がある部分をヒンジ機能折り部１９０として利用するように仕様設計することが好ましいが、必ずしも、折り線が存在する箇所に限定されるものでははない。また、本実施の形態である変形８角形に代えて、一般的な平面４角形形態に適用する場合には、ヒンジ機能折り部は、側面コーナーの稜線とすることが好ましい。
【００６９】
図６に示されるように、ヒンジ機能折り部１９０を支点として蓋体２００を後方まで回動させることによって、包装箱は完全に開封される。
【００７０】
図７には、完全に開封された包装箱の中に、缶容器製品物７の集合体、すなわち、２×３合計６本の缶製品を収納するマルチパック包装体３００が２列２段に収納された状態が示されている。この図に示されるように、上面板や底面板の略中央部の丁度下あたりに空洞部Ｐが存在することとなり、図１や図２の上面板２５および底面板２１の略中央部に形成された第１の引き裂き起点部１１１および第２の引き裂き起点部１３１を押圧することによって引き裂き基点を容易に形成することができる。
【００７１】
また、マルチパック包装体を用いずに、単に、偶数列、偶数段の缶容器製品物を充填して収納した場合でも上面板２５や底面板２１の略中央部あたりに空洞部Ｐが形成される。また、包装箱に奇数列や奇数段の缶容器製品物を充填して収納した場合であっても、空洞部Ｐが存在する位置はわずかに真の中央からずれるだけであって、そのずれに対応して第１の引き裂き起点部１１１および第２の引き裂き起点部１３１を設置するように仕様設計すればよい。本発明でいう「略中央部に形成された」という文言は、このようなずれに対応できる範囲までを権利範囲として含むことができるように配慮されている。
【００７２】
また、図７に示されるように、例えば、第１の引き裂き帯状部１１５を除去した後の下方の切り取り線１１５ｂで形取られるライン形態は、下段に位置するマルチパック包装体３００の上端部３０１が覗くようになっているために、下段のマルチパック包装体３００も容易に取り出すことができる。
【００７３】
また、さらに第１の引き裂き体１１０を引き裂いた後の残余の形態により、図７の右側上段に位置するマルチパック包装体の下部もしっかりと支持されており、いわゆる上段に位置するマルチパック包装体の転倒防止効果もある。
【００７４】
（再封止操作）
包装箱の中身を所定量取り出した後に、図６や図７に示される開封状態から、ヒンジ機能折り部１９０を支点として蓋体２００を図４に示される状態まで戻るように回動させることによって、包装箱は再封止される。
【００７５】
なお、図７に示されるように、包装箱１によって被包装物である容器製品物が包装がされ、中味と包装箱が一体化された商品である包装製品２が形成される。
【００７６】
本発明において、被包装物である容器製品物は、前述したように缶容器製品物またはその集合体であり、これらの説明は上述したとおりであるので、ここでの説明は省略する。
【産業上の利用可能性】
【００７７】
本発明は缶製品等の容器製品物を包み込むように収納するいわゆるラップアラウンド式の包装箱およびその包装箱に製品を収納した包装製品であり、包装産業一般に利用することができる。
【図面の簡単な説明】
【００７８】
【図１】図１は、本発明の包装箱の展開図の一例を示した図面である。
【図２】図２は、図１に示される展開された箱オリジナル紙を組み立てた斜視図である。
【図３】図３は、本発明の包装箱の開封操作の経時的な説明を行なうための概略斜視図である。
【図４】図４は、本発明の包装箱の開封操作の経時的な説明を行なうための概略斜視図である。
【図５】図５は、本発明の包装箱の開封操作の経時的な説明を行なうための概略斜視図である。
【図６】図６は、本発明の包装箱の開封操作の経時的な説明を行なうための概略斜視図である。
【図７】図７は図６相当図であって、完全に開封された包装箱の中に、缶容器製品物の集合体であるマルチパック包装体を２列２段に収納された状態を示す概略斜視図である。
【符号の説明】
【００７９】
１…包装箱
２…包装製品
１１，１５…側面板
２１…底面板
２５…上面板
３１，３５…内フラップ
３８…折り曲げ連接側片
４１,４５…外フラップ
１１０…第１の引き裂き体
１１１…第１の引き裂き起点部
１１２…折れ線
１１５…第１の引き裂き帯状部
１１１ａ…切り取り線
１１５ａ,１１５ｂ…切り取り線
１２０…第１の切り取り部
１３０…第２の引き裂き体
１３１…第２の引き裂き起点部
１３２…折れ線
１３５…第２の引き裂き帯状部
１３１ａ…切り取り線
１３５ａ,１３５ｂ…切り取り線
１４０…第１の切り取り部
１５１，１６１…側面板１５に形成される切込み部
Ｓ…折れ線１１２、１３２の最下点
Ｇ…切り取り線１１５ｂ、１３５ｂの終点位置
Ｃ１，Ｃ２…コーナー
【図１】
2006151396.tif 000003
【図２】
2006151396.tif 000004
【図３】
2006151396.tif 000005
【図４】
2006151396.tif 000006
【図５】
2006151396.tif 000007
【図６】
2006151396.tif 000008
【図７】
2006151396.tif 000009